Podtech/llm-jp-corpus-v4-ja_patent huggingface dataset:
(57)【要約】      （修正有）【課題】波の伝わる速度は陸近くで遅くなるためサーフィンに適した波が見られるが、この波は、波本来の上下運動だけでなく、先端に「短いが進行方向に向かう水流」を伴っており、場所によっては、護岸用のテトラポットを乗り越え、ＲＣ造りの護岸防波堤をたたきつぶす程の莫大なエネルギーを有しており、この水流エネルギーを把え発電するものである。【解決手段】波の進行方向と約４５°をなすように集水装置及び水車を有する発電装置とする。こうすることで、波と次の波の間隔が１０ｍ〜十数ｍある複数の波からエネルギーを得てスムーズな回転を実現する波は装置と約４５°をなしながら装置上を走るのでスムーズなエネルギーの取込みを可能にする。水車の長さは数十ｍ〜数百ｍとすることにより複数の波から、たえ間ない回転力を得るようにしたことを大きな特長とする。【選択図】図２−１
2015034555.tif 000002
【特許請求の範囲】
【請求項１】
波力により、陸近くで生ずる短い水流を把えて、水流で発電する波力発電装置。
【請求項２】
波の間隔は１０ｍ前後〜十数ｍあるため波に平衡に装置を作れば、水車のスムーズな回転が得られないため、波の進方向と約４５°の角度をなす水平軸水車とすることにより複数の波から同時に水流エネルギーを得ることにより発電する波力発電装置（これは波と約４５°をなしながら装置に沿って波を走らせることにより、波による装置の破壊も防ぐ意味もある）
【請求項３】
水車の長さを数十ｍ〜数百ｍとすることにより（波の進行方向と約４５°をなすよう水車を設置することも合いまって）複数の波から波力（水力）エネルギーを取込みスムーズな回転を得て発電する波力発電装置
【請求項４】
波力による水流を把えるため図１−１に示すＰ及びＱの集水装置を持つ水洞とすること。特にＱは長くすること。水洞の入口と出口の巾の比を大きくし水流をジェト化すること。
【発明の詳細な説明】
【発明の詳細な説明】
【技術分野】海の自然エネルギーである波力を用いて発電する分野
【背景技術】波力を用いて大容量発電を行う技術は未だ確立されていない。
【先行技術文献】
波力でも、波が沿岸近くで短い水流を伴うがその水流を用いて発電する文献は見当らない
【発明の概要】
【発明が解決しようとしている課題】
図１−４に示すように波の伝わる速度は沖合いでは早く、岸近くでは遅くなるため、岸近くでは、波の本来の上下運動だけではなく、波の進む方向に「短いが岸の方へ向う水流」を伴っている。外観としてはサーフィンに適した波形と、短い水流として観ることが出来、場所によっては消波ブロックのテトラを乗り越えて後ろのＲＣ造りの防波堤をたたきつぶす程のエネルギーを持っている。今回の発明はこの巨大エネルギーを把えて、原発に替わる大容量発電を行おうとするものである
【課題を解決するための手段】
図１−５に発電をいかに行うかの説明を示す。
図１−５の▲５▼に示すように▲１▼「波の進行方向と約４５°を保つように装置を設置」▲２▼「装置の水車が多数の波の上に同時に乗ることにより回転をスムーズにするために長さを数十ｍ〜数百ｍとする」▲３▼「図１−１に示す形状の集水装置（入口と出口の比を極度に高めた水洞）により、ジェット水流を得て、水車に当てる」▲４▼「特にＱは長く数ｍとすることにより、波力による水流を把えるようにする」
なおナセル内では水車の水平方向の回転を、歯車を用いて垂直方向の回転に転換し、発電機本体を地上数ｍの位置に設置することにより、海水から発電機を守るようにする。
この装置の特徴は岸に向って走る巾１０ｍ〜数十ｍの波の群れを正面から受けるとＲＣでも破壊されるため波の進行方向と約４５°の角をなすように装置を設置することにより波が装置と約４５°の角をなしながら装置上を走り、順次集水装置の水洞に水力エネルギーとして取込まれることである。水洞の入口は広く出口は極度に狭くなっているので水流はジェット化される。又波の進行方向と約４５°〜３０°の角度をなすように、しかも装置の長さを数十ｍ数百ｍとするように装置が作られているので複数の波から同時に水流エネルギーを取込んで回転をスムーズにする。
水車の水力捕獲器は２０ｃｍ×２０ｃｍ×２０ｃｍのポケット状捕獲器をメッシュ状に持つ巾８０ｃｍの形状とする（図１−１）。集水装置は図１−１に示すように浮体式で、鉄製の丈夫な構造とし、波力の巨大エネルギーの破壊力に耐えれるようにする。水車は集水装置で波のエネルギーを弱めているため、水力捕獲部をアルミ、円筒部をＰＥＴ樹脂製、水車の芯やフレームにはＤＰ７８０の細いパイプを使い軽く作る。なお水車は１個が長さ１０ｍで、１０ｍごとに中心軸が集水装置（鉄製）にベアリングが接続されているようにする。
【発明の効果】
日本海（例：島根県）や太平洋（例  宮崎県）の海岸で低コストの発電が可能となる。世界を見渡してもオランダやポルトガル沿岸、アフリカ、オーストラリア、ハワイ、カリフォルニア（例：サンデイゴ）の海岸で、波のある時は２４時間発電可能となる。（ハワイなどのリーフでは、ナセルを浮体式とする）
【発明を実施するための形態】
船舶の住来や、漁業の問題と重なるので国家的事業として行うことが求められる。
【産業上の利用可能性】発電が低コスト、大規模に行えるので、原発の替わりとなる。風のない時でも波はある時が多く、風力発電と合せて、全使用電力を、自然エネルギーで、賄うようにする。
【図面の簡単な説明】
【図１−１】水車及び集水装置断面概要図
【図２−１】装置概要図
【図２−２】簡易型
【図３−１】発想図解
【図１−１】
2015034555.tif 000003
【図２−１】
2015034555.tif 000004
【図２−２】
2015034555.tif 000005
【図３−１】
2015034555.tif 000006
(57)【要約】      （修正有）【課題】河川及び海での水流による水力を用いて低コスト大容量発電を行うこと。【解決手段】海流潮流を巾数１００ｍにわたって、浮体（船）で把えて、大容量発電を低コストで行う。又河川では水流の川巾と同じ長さの軽量水車（ペットボトル細胞と、ＤＰ７８０フレームで作る）で、２４時間低コスト発電を可能とした。これは従来ある水車を軽量化、水平方向に水流の巾分長くする、さらに水車の手前に横方向だけでなく縦方向の集水装置を設けることで、大規模に水エネルギーを把えるようにして、大規模発電を可能とした。【選択図】図１−１
2015034554.tif 000002
【特許請求の範囲】
図１−１に示す集水装置Ｐ、Ｑを用いて水流の巾方向だけでなく水流の深さ方向からも広範囲に水流エネルギーを集めて、水平方向に長くした水車により発電を行うこと。
【発明の詳細な説明】
【技術分野】本発明は海や川に浮かべ、ロープでイカリ又は岸と繋いで半固定するだけで発電可能な水力発電装置に関するものである。
【背景技術】河川の場合はダム等の大工事によらなければ大容量の発電は無理であった。又海の潮流を利用した大容量発電はほとんど例がない。
【先行技術文献】
当発明に関するものは見当らない
【発明の概要】
発明が解決しょうとする課題河川及び海での水流による水力を用いて低コスト大容量発電を行うこと。
【課題を解決するための手段】
最近、Ｆ国で、昔からある水車の大型（直径５〜６ｍ水平軸、水平方向約１ｍ）を用いて潮流に下部を沈ませて、発電する実験が行なわれた。しかし、この方法だと、潮流の巨大エネルギーを大規模に取込んで大容量発電を行うことは難しい。そこで当発明では▲１▼水車をペットボトル細胞と、ＤＰ７８０のフレームで軽量化▲２▼水車を水流の巾（海流などは数百ｍ、河川は川巾）方向に長くする▲３▼水車の手前に（図１−１にＰ、Ｑ、で示す）横方向縦方向から水流のエネルギーを集める集水装置を設けることで、大容量低コスト発電を可能とした。
【発明の効果】
本発明の効果は装置を河川や海に浮かべ、イカリ、又は岸と繋ぐだけで、低コスト大容量発電を可能としたことである。発明を実施するための形態河川や、海での大規模発電が可能になるため国家的プロジェクトが必要実施例、図１−２に示す。産業上の利用可能性都市部から離れた大河や、海流、潮流での発電が低コストで可能となるため、水を電気分解して、現地でＨ２及びＯ２として回収。
【図面の簡単な説明】
【図１−１】全体概要図（主として海流、潮流用。大河でも可）
【図１−２】河川での利用例，及び実施例。
【図１−１】
2015034554.tif 000003
【図１−２】
2015034554.tif 000004
(57)【要約】      （修正有）【課題】路面よりの抵抗と衝撃を、前への推進力に変換し、乗り心地をよくした懸架装置を提供する。【解決手段】車軸位置を２より３に変更し、３に懸架装置４を前方に作動するよう取付る。車軸の位置を２より３に変更した事により、4の緩衝装置で路面よりの抵抗と衝撃が、前への推進力に変換され乗り心地がよくなる。又、抵抗、衝撃が大きくなるほどより推進力も大きくなるので、２輪車，４輪車その他の車両に応用すると、動き始めれば、常に路面からのエネルギーが推進力となり働き続け、大きくなるほど車高が下がり、乗り心地もよく、コーナリングも安定する。【選択図】図１
2015000697.tif 000002
【特許請求の範囲】
【請求項１】
車軸位置を２より３に変更し、緩衝装置４を前方に作動するよう取付した機構
【発明の詳細な説明】
【技術分野】
【０００１】
この発明は、ころがり抵抗、衝撃を推進力に変える機構に関するものである。
【背景技術】
【０００２】
従来、車両はころがり抵抗、路面よりの衝撃を懸架装置で吸収していた。
【発明の概要】
【発明が解決しようとする課題】
【０００３】
これは、次のような欠点があった。従来は路面よりのころがり抵抗、衝撃が大きく、乗り心地が悪く、前への推進力に影響が出ていた。
本発明は、以上のような欠点をなくすためになされたものである。
【課題を解決するための手段】
【０００４】
従来の車軸位置２を３に変更し、２の連結部分が自在に動くようにして、３に緩衝装置4を前方に向けて取付した。本発明は、以上の構成よりなる懸架装置である。
【発明の効果】
【０００５】
車軸の位置を２より３に変更した事により、4の緩衝装置で路面よりの抵抗と衝撃が、前への推進力に変換され乗り心地がよくなった。  又、。抵抗、衝撃が大きくなるほどより推進力も大きくなった。
【図面の簡単な説明】
【０００６】
【図１】本発明の平面図である。
【発明を実施するための形態】
【０００７】
以下、本発明を実施するための形態について説明する。車軸の位置を２から３に変更して、緩衝装置４を前方に作動するよう取付する。本発明は以上のような構造である。  
車両が移動し始めると、路面からの転がり抵抗、衝撃がてこの原理で緩衝装置を介して前への推進力となる。
【実施例】
【０００８】
２輪車，４輪車その他の車両に応用すると、動き始めれば、常に路面からのエネルギーが推進力となり働き続け、大きくなるほど車高が下がり、乗り心地もよく、コーナリングも安定する。何よりも路面からの抵抗、衝撃を直接受けないので操縦安定性、乗り心地が向上する。
【産業上の利用可能性】
【０００９】
２輪４輪等を問わず、列車、貨車、航空機等、移動を必要とするあらゆる物に応用できる。又、抵抗、衝撃を推進運動に変える事で、多くのエネルギーを活用でき、本体への衝撃を吸収する事が出来、操縦性能も安定する。その他、カーブの遠心力、慣性等の力、大きさに対応して重心も変化することとなり、省エネで快適な乗り心地を提供する。
【符号の説明】
【００１０】
１  ハンドル
２  リンク
３  車軸
4  緩衝装置
【図１】
2015000697.tif 000003
(57)【要約】【課題】硬貨投入時の振動を感知することにより、娯楽性を付加するとともに、該娯楽性を損なうことなく好みの貯金箱に自由に交換でき、地震発生時には非常灯としての機能を持った楽しい貯金箱グッズを提供する。【解決手段】板状の置台３と、該置台３の上に自由に置いた貯金箱４と固定して置いた模型１とから構成され、該模型１の両眼にはランプ８が埋め込まれ、内部には振動感知センサー５、音声発生部６、ランプ８の点灯と音声発生部６の音声発生を制御する制御部７、電源電池１２が取り付けてあり、貯金箱４に投入された硬貨の落下時の振動を、置台３を介して振動感知センサー５が感知し、制御部７で信号処理して音声発生部６より鳥の鳴き声等の音声を発すると同時にランプ８が一定時間点灯する。【選択図】  図１
2015000108.tif 000002
【特許請求の範囲】
【請求項１】
単体の貯金箱と、娯楽性を付加した模型と、下側にクッション材を取り付けた板状の置台とで構成され、前記置台の上側に前記貯金箱と模型とを配置したことを特徴とする楽しい貯金箱グッズ。
【請求項２】
両眼にランプを埋め込んだ鳥または動物等の外観を模した模型の内部に、録音再生の音声発生部と、前記ランプの点燈および音声発生部の制御をおこなう制御部と、硬貨の投入による落下衝突の振動を感知する振動感知センサーとを備え、前記制御部と振動感知センサーとを連携させたことを特徴とする請求項１の楽しい貯金箱グッズ。
【請求項３】
可変抵抗器を備えたタイマー回路を有し、ランプの点灯時間が変更可能なことを特徴とする請求項１または請求項２に記載の楽しい貯金箱グッズ。
【発明の詳細な説明】
【技術分野】
【０００１】
本発明は、投入した硬貨が落下して貯金箱の底に衝突した振動を感知し、該振動を電気的に処理して娯楽性を付加する貯金箱に関する。
【背景技術】
【０００２】
投入された硬貨による振動を感知し、硬貨入れの上部に取り付けた鳥玩具が、鳴き声を出したり、上下に動いたりする貯金箱が提案されている。
【先行技術文献】
【特許文献】
【０００３】
【特許文献１】実開平５−８２３１４
【発明の概要】
【発明が解決しようとする課題】
【０００４】
投入された硬貨の衝突によって生ずる振動を感知する機能により、貯金箱に娯楽性を付加するとともに、貯金をより楽しくするため前記娯楽性を損なうことなく、市販および自作の硬貨入れ即ち貯金箱単体を自由に交換でき、かつ、地震を感知したときにも一定時間ランプが点灯する機能を有する楽しい貯金箱グッズを提供する。
【課題を解決するための手段】
【０００５】
両眼にランプを埋め込んだ鳥または動物等の外観を有した模型と、単体の貯金箱と、前記模型および貯金箱とを上側に並べて置くことのできるスペースを有し、下面にクッション材を取り付けた板状の置台とで構成し、前記置台の上に前記模型と貯金箱とを配置し、前記模型の内部に録音再生の音声発生部と、前記両眼に埋め込んだランプの点灯および音声発生の制御を行う制御部と、振動を感知する振動感知センサーとを備え、前記制御部と前記感知センサーとを信号的に連携させたことを特徴とし、前記置台上の貯金箱に投入された硬貨の落下衝突の振動を、同じく置台に置かれた模型内の振動感知センサーが、置台を介して感知し、ランプの点灯と音声の発生を行い、地震発生時には直接振動感知センサーが地震の振動を感知して音声の発生とランプの点灯とを行う。
【０００６】
また、制御部内に可変抵抗のボリューウムを備えたタイマー回路を有し、ランプが点灯している時間を変更可能とする。
【発明の効果】
【０００７】
貯金者は、前述の模型による娯楽性を楽しむことが出来き、かつ貯金箱と模型がそれぞれ独立して置台の上に置かれているため、模型による娯楽性を損なうことなく好みの貯金箱に自由に交換して楽しむことが可能であり、特に投入された硬貨を取り出すときに貯金箱本体を破壊する破壊型貯金箱を使用する場合は、必ず同貯金箱の交換が必要となるため本発明の効果が発揮できる。
【０００８】
また地震発生時、振動を感知して模型のランプが点灯するため、夜間には非常灯としての効果も期待できる。
【図面の簡単な説明】
【０００９】
【図１】本発明による楽しい貯金箱グッズの一実施例を示す正面図である。
【図２】図１の平面図である。
【図３】市販されている一般的な貯金箱の正面図である。
【図４】本発明による楽しい貯金箱グッズの一実施例の回路構成図である。
【発明を実施するための形態】
【実施例】
【００１０】
以下、添付図面に従って一実施例を説明する。
本実施例は、板状の置台３と、該置台３の上に自由に置いた硬貨入れ即ち貯金箱４と、該置台３の上にネジまたは接着剤等（図示せず）にて固定して置いた模型１とにより構成され、模型１はフクロウの形をした平面形状の模型本体２の両眼にランプ８を埋め込み、背後から設けた中空部に音声発生部６、前記ランプ８の点灯および前記音声発生部６を制御する制御部７、振動を感知する振動感知センサー５および電源電池１２が取り付けてある。
【００１１】
本実施例の貯金箱４は、硬貨投入口１１のみ有し投入された硬貨を取り出す場合は貯金箱本体を破壊する方式の缶詰め形状をした破壊型貯金箱であるが、図３に示す市販の貯金箱や自作のもので材質が金属、木材、硬化樹脂、陶磁器等、振動を伝番し易い硬質のものであれば良い。
【００１２】
置台３の下側にはクッション１０が取り付けてあり、略３０ガル以下の低レベルの強さの外部振動や衝撃等を感知しないようにしている。
【００１３】
次に本発明による実施例の機能について説明すると、まず貯金箱４の投入口１１から投入された硬貨が貯金箱４の底に落下して振動が生じ、該振動が置台３を伝番し模型１内の振動感知センサー５に感知されて電気信号に変わり、該信号は制御部７で処理され、録音されたフクロウの鳴き声が音声発生部６から発生され、同時に模型１の両眼に埋め込んだランプ８が一定時間点灯する。
【００１４】
ランプ８の点灯時間は制御部７内の可変抵抗９のツマミにより抵抗値を変更することで略１０秒から最大１分３０秒まで調節可能である。
【００１５】
以上のように、特に子供の貯金者は、フクロウの鳴き声と両眼のランプの点灯による娯楽性と同時に、前記娯楽性を損なうことなく置台３上の貯金箱４を好みのものに自由に交換して貯金を楽しむことが出来る。
【００１６】
また、前述したように３０ガル以上の強さの地震が発生した場合は振動感知センサー５が直接振動を感知しフクロウの声を発生すると同時に一定時間ランプ８が点灯するため夜間等には非常灯としての効果が期待できる。
【符号の説明】
【００１７】
１  模型
２  模型本体
３  置台
４  貯金箱
５  振動感知センサー
６  音声発生部
８  ランプ
９  可変抵抗器
１０クッション
１１硬貨投入口
１２電源電池
【図１】
2015000108.tif 000003
【図２】
2015000108.tif 000004
【図３】
2015000108.tif 000005
【図４】
2015000108.tif 000006
(57)【要約】 【課題】   本発明は、チリトリにふるい機能を付けることにより、落ち葉等と砂や小石が一緒に混ざって回収されたゴミの中から砂や小石だけを容易に分別してチリトリの外へ排出できる機能を持った、ふるい機能付きチリトリを提供する。 【解決手段】  チリトリの背面部に２種類以上の異なる大きさの孔を設けて、それらの孔を通る砂や小石をチリトリの外へ排出できる機能を持つ、ふるい機能付きチリトリを発明し上記課題を解決するものである。 【選択図】  図１
2015000142.tif 000002
【特許請求の範囲】
【請求項１】
背面部に大きさが異なる２種類以上の孔１、孔２がそれぞれ多数開けられているふるい機能付きチリトリ
【発明の詳細な説明】
【技術分野】
【０００１】
本発明は、チリトリの背面部に大きさが異なる２種類以上の孔を設けて、落ち葉等と砂や小石が一緒に混ざっているゴミから砂や小石だけを背面部の孔から外へ排出させ、落ち葉等のゴミのみを取ることが出来るふるい機能を持つチリトリに関するものである。
【背景技術】
【０００２】
従来は砂を排出する部分が前方部のみのチリトリしかなかったため、外庭掃除や道路清掃の時、落ち葉等のゴミと一緒に回収された砂をチリトリの外へ排出するためにはホウキ等で上からゴミを押さえつけながらチリトリを前方へ傾斜させるしかなかった。
【先行技術文献】
【特許文献】
【０００３】
【特許文献１】特開２００５−３４９１５１号公報（図１）
【特許文献２】特開２００７−１６００５９号公報（図６）
【発明の概要】
【発明が解決しようとする課題】
【０００４】
しかしながら、上記方法では砂も落ち葉等で一緒に上から押圧されてしまうため、チリトリ前方部からの排出は困難となってしまう。結局、砂や小石も落ち葉等と一緒に大型ゴミ袋の中へ捨てられてしまう事が多い。そして結果的に大型ゴミ袋全体の重量を増やしてしまったり、大型ゴミ袋が破れやすくなるなど欠点があった。
【課題を解決するための手段】
【０００５】
そこで本発明はチリトリの背面部に複数の異なる大きさの孔を設け、チリトリを後方へ傾斜させることによって中の砂や小石を背面部の孔から排出して取り除き、落ち葉等のゴミのみを取ることを可能にして上記課題を解決するものである。
【発明の効果】
【０００６】
チリトリの背面部に複数の異なる大きさの孔が設けられており、この孔から砂や小石を外部へ排出できるようになっている。これにより落ち葉等のゴミと一緒に回収された砂や小石のみを振るい落とすことが可能になり、砂や小石の不要なゴミが一緒に大型ゴミ袋の中へ入ることを防ぐことが出来る。
【０００７】
又、本チリトリの製造過程においては、既設製造工程に孔開け工程を１つ追加するだけで良く、大掛かりな設備投資は不要である。
【図面の簡単な説明】
【０００８】
【図１】本発明のふるい機能付きチリトリの下方斜視図である。
【図２】本発明のふるい機能付きチリトリの背面部図である。
【発明を実施するための形態】
【０００９】
砂や小石を効率良く外へ排出できるようチリトリの背面部に複数の異なる大きさの孔が、開けられている。本発明はこのような形態が特徴となっており、落ち葉等のゴミを回収後、本チリトリを後方へ傾斜させて中の砂や小石を外へ排出させ、中に残っている落ち葉等のゴミのみを大型ゴミ袋の中に捨てる。
【符号の説明】
【００１０】
１  背面部
２  孔１
３  孔２
【図１】
2015000142.tif 000003
【図２】
2015000142.tif 000004
(57)【要約】      （修正有）【課題】段積された容器同士は密着しているので、従来の方式では吸着ミスや二枚取りなどの供給不良が生じるのでこれを防止する。【解決手段】供給対象容器１と次の容器１のスキマにエアを噴射することにより、容器同士の密着性を無くし、供給不良のない容器供給を行う。段積みされた容器１の一番下にある、供給対象容器１の上縁又は底面を支持し、全体が落下することを防ぎ、多様な形状に対応するため、幅方向に調整可能な仮受部２、切り放し対象容器の一つ上にある容器１の上縁を支持し、幅方向及び高さ方向に調整可能で、供給対象容器１と次の容器１のスキマにエアを噴射するためのノズル４を配置した切離部３で構成し、仮受部が閉、切離部が開を基準とし、これら爪部３，２を交互に開閉させ、仮受部２が開のとき、切離部３のノズル４からエアを噴射し、供給対象容器１と次の容器１の密着性を無くすことにより容器供給を行う。【選択図】図４
2015000812.tif 000002
【特許請求の範囲】
【請求項１】
切離部にノズルを設けることにより、容器の種類が変わっても、確実に供給対象容器と次の容器のスキマにエアを噴射することにより容器同士の切り放しを行い、供給対象容器を供給する容器供給機。
【発明の詳細な説明】
【技術分野】
【０００１】  本発明は容器の供給機に関するものである。
【背景技術】
【０００２】  従来の容器供給機は下方向吸着式、下方向把持式、下方向落下式、上方向吸着式などがあるが、供給したい容器と、次の容器は通常密着しているため、吸着ミスや二枚取り等の供給不良が発生している。
【発明の概要】
【発明が解決しようとする課題】
【０００３】  供給不良防止の手段としては、供給したい容器と次の容器のスキマに、強制的にエアを噴射する方法が一般的であるが、容器の種類によってスキマの位置や寸法が異なるため、正確な位置にエアを噴射することが困難である。
【課題を解決するための手段】
【０００４】  段積みされた容器の一番下にある、供給対象容器の上縁又は底面を支持し、全体が落下することを防ぎ、多様な形状に対応するため、幅方向に調整可能な仮受部、切り放し対象容器の一つ上にある容器の上縁を支持し、幅方向及び高さ方向に調整可能で、供給対象容器と次の容器のスキマにエアを噴射するためのノズルを配置した切離部で構成し、仮受部が閉、切離部が開を基準とし、これら爪部を交互に開閉させ、仮受部が開のとき、切離部のノズルからエアを噴射し、供給対象容器と次の容器の密着性を無くすことにより容器供給を行う。
【発明の効果】
【０００５】  供給対象容器と次の容器を確実に切り離すことが出来るので、供給不良をなくすことができることの他に、一度スキマが生じて密着性が無くなると自重で落下するので、供給対象容器の吸着や把持も不要となり、装置を簡素化出来る。
【図面の簡単な説明】
【０００６】
【図１】本発明の実施形態を示す容器供給機の断面図
【図２】仮受部閉、切離部閉、エア噴射止時断面図
【図３】仮受部開、切離部閉、エア噴射止時断面図
【図４】仮受部開、切離部閉、エア噴射出時断面図
【図５】仮受部閉、切離部閉、エア噴射止時断面図
【図６】仮受部閉、切離部開、エア噴射止時断面図
【発明を実施するための形態】
【０００７】  以下、本発明実施の形態を図１〜〜図６に基づいて説明する。
【０００８】  図において１はプラスチックや紙で出来た容器である。
【０００９】  ２は仮受部を構成する部品である下側爪である。
【００１０】  ３は切離部を構成する部品である上側爪である。
【００１１】  ４は切離部を構成する部品であるノズルである。
【００１２】  ５はノズルから噴射されたエアの流れを示す。
【符号の説明】
【００１３】    １  容器
２  下側爪
３  上側爪
４  ノズル
５  エアの流れ
【図１】
2015000812.tif 000003
【図２】
2015000812.tif 000004
【図３】
2015000812.tif 000005
【図４】
2015000812.tif 000006
【図５】
2015000812.tif 000007
【図６】
2015000812.tif 000008
(57)【要約】【課題】有機溶剤を用いない浸漬成形品及びその製造方法を提供する。【解決手段】２重量部のベンジル・ブチル・フタレート、１０重量部のセプトン４０４４、３０重量部のセプトン４０３３及び２００重量部のプロセスオイルを、ヒータ２０を巻回した金属容器１０内で混合した後、ヒータ２０により１８０°Ｃに加熱して、粘度が一定となるまで攪拌する。粘度が一定となった後に、ガラス製の成形型３０を浸漬する。その後、成形型３０を取り出し、常温となったところで、成形型３０を化合物５から抜き出し、浸漬成形品とする。【選択図】  図１
2015000975.tif 000002
【特許請求の範囲】
【請求項１】
２重量部のベンジル・ブチル・フタレートと、
１０重量部のセプトン４０４４と、
３０重量部のセプトン４０３３と、
２００重量部のプロセスオイルと、
からなることを特徴とする浸漬成形品。
【請求項２】
２重量部のベンジル・ブチル・フタレートと、
１０重量部のセプトン４０４４と、
３０重量部のセプトン４０３３と、
２００重量部のプロセスオイルと、
を混合した後、１８０°Ｃに加熱して攪拌することを特徴とする浸漬成形品の製造方法。
【発明の詳細な説明】
【技術分野】
【０００１】
本発明は、異種のスチレン系エラストマーを原料として製造される浸漬成形品及びその製造方法に関する。
【背景技術】
【０００２】
従来、一般的に浸漬成形のための原料エラストマーとしては、天然ゴム、クロロピレンゴム等の合成ゴム、塩化ビニルあるいはポリウレタンなどが用いられていた。
天然ゴムは、低モジュラス、高い伸び率、十分な引っ張り強さを有しているが、反面、耐久性に劣り、天然ゴム中に含まれるタンパク質に対するアレルギー反応などの問題点を有している。また、他のエラストマーについては、天然ゴムに見られるような問題点を有しないものもあるが、いずれも天然ゴムの有する優れた柔らかさ、伸びには及ばない。
【０００３】
この問題点を解決するため、スチレン比及び分子量の異なる数種類のＳＥＢＳポリマーを混合させたものを原料とする浸漬成形品がある（例えば、特許文献１参照）。
【先行技術文献】
【特許文献】
【０００４】
【特許文献１】特開平９−１０４８０２号公報
【発明の概要】
【発明が解決しようとする課題】
【０００５】
ところが、上記特許文献１に記載の浸漬成形品では、その材料にトルエン、シクロヘキサン、ベンゼンあるいはクロロホルムなどの有機溶剤を使用しているため、その成形品を製造したり廃棄したりする段階において環境負荷が大きいという問題がある。
【０００６】
本発明は、こうした問題に鑑みなされたもので、有機溶剤を用いない浸漬成形品及びその製造方法を提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた請求項１に記載の発明は、２重量部のベンジル・ブチル・フタレートと、１０重量部のセプトン４０４４と、３０重量部のセプトン４０３３と、２００重量部のプロセスオイルと、からなることを特徴とする浸漬成形品である。
【０００９】
このような浸漬成形品では、有機溶剤を用いていないため、浸漬成形品を製造したり廃棄したりする段階において環境負荷を小さくすることができる。
また、通常分子量の大きなＳＥＰＳの場合、粘度が低すぎて浸漬成形することができないが、上記浸漬成形品では、分子量の大きなＳＥＰＳであっても、浸漬成形可能な粘度まで粘度を下げることができる。
【００１０】
請求項２に記載の発明は、２重量部のベンジル・ブチル・フタレートと、１０重量部のセプトン４０４４と、３０重量部のセプトン４０３３と、２００重量部のプロセスオイルと、を混合した後、１８０°Ｃに加熱して攪拌することを特徴とする浸漬成形品の製造方法である。
【００１１】
このような浸漬成形品の製造方法によれば、請求項１に記載の効果を有する浸漬成形品を製造することができる。
【図面の簡単な説明】
【００１２】
【図１】浸漬成形品の製造方法の概略を示す図である。
【発明を実施するための形態】
【００１３】
以下、本発明が適用された実施形態について図面を用いて説明する。なお、本発明の実施の形態は、下記の実施形態に何ら限定されることはなく、本発明の技術的範囲に属する限り種々の形態を採りうる。
【００１４】
図１に示すように、浸漬成形品を製造するためには、側面にヒータ２０を巻回したビーカ状の金属容器１０に、２重量部のベンジル・ブチル・フタレート、１０重量部のセプトン４０４４、３０重量部のセプトン４０３３及び２００重量部のプロセスオイルを入れる。
【００１５】
そして、ヒータ２０により金属容器１０内の温度が１８０°Ｃとなるように保ち、粘度が一定となるまで攪拌し化合物５を製造する。なお、温度は、外線温度計４０のような非接触型の温度計で計測する。
【００１６】
粘度が一定となった後、ガラスなどで成形した成形型３０を化合物５に浸漬し、成形型３０の周囲に化合物５を付着させる。
そして、化合物５を付着させた成形型３０を取り出し、常温になるまで自然冷却した後、成形型３０を引き抜き、浸漬成形品とする。
【００１７】
このようにして製造された浸漬成形品は、高い伸び率、十分な引っ張り強さを有しているとともに、質感が人間の臓器や皮膚に近似たものとなる。
また、有機溶剤を用いていないため、浸漬成形品を製造したり廃棄したりする段階において環境負荷を小さくすることができる。さらに通常分子量の大きなＳＥＰＳの場合、粘度が低すぎて浸漬成形することができないが、上記浸漬成形品では、分子量の大きなＳＥＰＳであっても、浸漬成形可能な粘度まで粘度を下げることができる。
【符号の説明】
【００１８】
５… 化合物  １０… 金属容器  ２０… ヒータ  ３０… 成形型  ４０… 赤外線温度計。
【図１】
2015000975.tif 000003
(57)【要約】      （修正有）【課題】複数の束などを結束するとき、使いやすいように結束バンドに結束部を設けた多重結束用バンドを提供する。【解決手段】結束用バンドのバンド部分Ａに結束部Ｂを設け、結束部Ｂにさらに結束部Ｃを設けた結束用バンドを特徴とする。【選択図】図１
2015000763.tif 000002
【特許請求の範囲】
【請求項１】
結束用バンドのバンド部分（Ａ）の一端に結束部（Ｂ）を設け、結束部（Ｂ）にさらに結束部（Ｃ）を設けた結束用バンド。
【発明の詳細な説明】
【技術分野】
【０００１】この発明は、結束用バンドの一端に結束部を設けた結束用バンドに関するものである。
【背景技術】
【０００２】従来、結束用バンドは木、配線などを１つの輪の中に束ねることになっていた。
【発明の概要】
【発明が解決しようとする課題】
【０００３】これは、次のような欠点があった。
従来、結束用バンドは１つの輪の中に束ねることしかできなかったため、複数の物を強固に固定することが出来なかった。また、輪を増やすには結束用バンドを増やすので困ることが多かった。
本発明は、以上のような欠点をなくすためになされたものである。
【課題を解決するための手段】
【０００４】結束用バンドのバンド部（Ａ）の一端に結束部（Ｂ）を設け、結束部（Ｂ）にさらに結束部（Ｃ）を設けた。
本発明は、以上のような構成よりなる結束用バンドである。
【発明の効果】
【０００５】結束用バンドに結束部が増えたので輪を２つ以上にする必要になったときでも結束用バンドを増やす手間が省ける。結束箇所が１つでも、複数でも結束出来るので使うのになんらさしつかえない。
【図面の簡単な説明】
【０００６】
【図１】本発明の正面図である。
【図２】本発明の側面図である。
【発明を実施するための形態】
【０００７】以下、本発明を実施するための形態について説明する。
結束用バンドのバンド部分（Ａ）の一端に結束部（Ｂ）を設ける。
結束部（Ｂ）にさらに結束部（Ｃ）を設ける。
本発明は、以上のような構造である。
これを使用するときは、１つ目の束ねたいものをバンド部分と結束部（Ｂ）で束ね、２つ目に束ねたいものを結束部（Ｃ）で束ねて固定すればよい。これにより、２つの輪が出来、１つ目の輪は自由に大きさが変わり、２つ目の輪は束ねるものを固定することが出来る。また、１本目の結束用バンド部分を２本目の結束用バンドの結束部を通すとさらに輪を増やすことが出来る。
【符号の説明】
【０００８】Ａ  バンド部分
Ｂ  結束部
Ｃ  結束部
【図１】
2015000763.tif 000003
【図２】
2015000763.tif 000004
(57)【要約】【課題】従来のトラック及び配送車は、休憩、仮眠するときはハンドルまたは前面ガラスに足を掛けて「く」の字型になって休憩、仮眠しなければならなかった。楽に休憩、仮眠するには、前列中央シートを回転すると体を自由にのばせた状態で休憩、仮眠が楽にできるシートを提供する。【解決手段】前席中央シート（１）を回転するには、背もたれの厚み（２）ぶんだけ前方にスライドさせ、座面の厚み（３）ぶん上部に持ち上げれば、シートを回転することが出来るが。これでは一連の操作が複雑且つ面倒である。これを簡素化するには中央着座シートのカット部分（４）の様に対角線上及び背もたれの角を無くし小さくすれば簡単に回転操作できる。以上の様な操作で横向きのシートを設定する。助手席回転シートを特徴とする。【選択図】図１
2015000715.tif 000002
【特許請求の範囲】
【請求項１】
自動車前席３人掛け中央の助手席回転シート。
【発明の詳細な説明】
【技術分野】
【０００１】  この発明は自動車運転席横の助手席が回転するシートに関するものである。
【背景技術】
【０００２】  従来の自動車前席の背もたれシートは自動車後方又は前方にしかシートが倒れなかった。
【先行技術文献】
【特許文献】
【０００３】
【特許文献１】
【発明の概要】
【発明が解決しようとする課題】
【０００４】  従来のトラック及び配送ハイルーフ車は荷台を広く確保するために、運転席を含む前列シートは背もたれの倒れる角度が制限され、非常に窮屈でゆったりと休憩、仮眠しづらかった。本発明は、以上のような欠点をなくすためになされたものである。
【課題を解決するための手段】
【０００５】  助手席中央シート（１）を回転するには、背もたれ幅（２）ぶんだけ前方にスライドさせ、着座シート厚幅（３）ぶん上部に持ち上げなければ、シートを回転することが出来ない。これでは一連の操作が複雑且つ面倒である。これを簡素化するには中央着座シートの形状を（４）の様に対角線上及び背もたれの角を無くし小さくすれば、回転の操作で横向きシート仕様になる。
【発明の効果】
【０００６】  従来のトラック及び配送車は、休憩、仮眠するときはハンドルまたは前面ガラスに足を掛けて「く」の字型になって休憩、仮眠しなければならなかった。そのため、腹部や脊椎に負担がかかり腰痛や腹痛で疲労感が残っていた。前列中央シートを回転すると体を自由にのばせた状態で休憩、仮眠が楽にできるものである。
【図面の簡単な説明】
【０００７】
【図１】本発明の使用斜視図である。
【図２】自動車前席の斜視図である。
【図３】本発明の簡易操作シート図である。
【発明を実施するための形態】
【０００８】  以下、本発明を実施するための形態について説明する。
自動車の前席シートの形状を中央シートのカット部分（４）の様に対角線上の角をカットし座面を小さくすることにより回転させても隣りのシートに干渉せずに中央シートが回転出来て、使用時の形状（５）の様になる物である。
【符号の説明】
【０００９】  １  前席中央シート
２  背もたれの厚み
３  座面の厚み
４  シートのカット部分
５  使用時の形状
【図１】
2015000715.tif 000003
2015000715.tif 000004
【手続補正書】
【提出日】平成25年7月29日(2013.7.29)
【手続補正３】
【補正対象書類名】図面
【補正対象項目名】全図
【補正方法】変更
【補正の内容】
【図１】
2015000715.tif 000005
【図２】
2015000715.tif 000006
【図３】
2015000715.tif 000007
【手続補正書】
【提出日】平成26年8月18日(2014.8.18)
【手続補正１】
【補正対象書類名】特許請求の範囲
【補正対象項目名】請求項１
【補正方法】変更
【補正の内容】
【請求項１】
自動車前席３人掛け中央シートが９０度回転し、座面形状を小さく安易に操作できる回転シート。
(57)【要約】      （修正有）【課題】回りに風を飛ばさないで、空中を上下左右どこても飛び、事故を少なくした乗物を提供する。【解決手段】底のある円筒１の中に、隙間をあけて、重なり合った翼３をとりつける。円筒１の下がわにある駆動装置５のシヤフト４にプロペラ２を取り付けてプロペラ２を回す。円筒１の下側部屋で人のいるところで運転する。扉、窓、駆動操置５がある。プロペラによる風の流れは、翼３に当たって矢印の方向へ流れて、本機は、持ち上がって空に浮かぶ。【選択図】図１
2015000716.tif 000002
【特許請求の範囲】
【請求項１】
底のある円筒（１）を縦にしてその中にプロペラ（２）その下側に、翼（４）を皿のように隙間をあけて数段重ねて円筒（１）に取り付け、下側に部屋（６）を取り付け駆動装置（５）腰掛け、ハンドル（８）バックミラ（７）タイヤ（１１）を取り付け、円筒（１）の中央上部に風をあつめた風ドーム（１３）のある風をとばさない乗物
【発明の詳細な説明】
【技術分野】
【０００１】  自動車は道を走るのが当り前である。空を飛ぶのに飛行機がある。乗物で鳥のごとく空を自由自在に行くのがねらいである。
【背景技術】
【０００２】  従来の自動車は造られた道、山野を走るのが普通である。
【発明が解決しようとする課題】
【０００３】  プロペラによる回りに風を飛ばさない。空中を鳥のごとく飛ぶようにどこにいくのにも無限大に道は、上下、左右に広がって他車との事故は少なくなる事を課題にした。
【課題を解決するための手段】
【０００４】  底のある円筒  （１）の中に、隙まをあけて、重なり合った翼（３）をとりつける。円筒（１）の下がわにある駆動装置（５）のシヤフト（４）にプロペラ（２）を取り付けてプロペラを回す。円筒（１）の下側わ部屋で人のいるところで運転する。扉、窓、駆動操置（５）がある。プロペラによる風の流れは、翼（３）に当たって矢印の方向へ流れて、本機は、持ち上がって空に浮かぶ。行き先により上下左右早い方向に向かって飛ぶ。河、海でも橋、船がなくても飛ぶこと事ができる。
【発明の効果】
【０００５】  道が空中なので他の乗物とぶつかる事故が少なくなる。河、海でも橋、船を必要としない。目的地に早い方法でたどりつける。
【発明を実施するための最良の形態】
【０００６】  底のある軽い材質の円筒（１）の中に隙間をつくり皿を重なるように翼（３）を取り付ける。下側にプロペラ（２）をシヤフト（４）に取り付けた駆動装置（５）で回す。円筒（１）の下側は、部屋（６）になり操縦しバックミラー（７）、ハンドル（８）扉（９）タイヤ（１１）がある。
ブロペラ（２）による空気の流れは矢印の方向でちゆうおうから出ていく。本機の方向は上の風ド−ム（１３）に集まった風は横にある穴が風道（１２）になって風は勢いよく飛び出す。飛び出した反対の方向が進む方向である。ハンドル（８）から棒（１６）や、ギ
2015000716.tif 000003
下がはより風速が早くなっているので持ち上がる。図（３）に示すように駆動装置（５）の中に回転磁石（２０）を同極の副磁石（２６）でせっしょくさせて、反発で回しギヤ（２８）及びギヤ（２９）を回転させる。回転磁石（２０）に取り付けた回し板（２３）に取り付けた叩き板（２７）は、受け板（２４）に叩きつけ取り付け軸（２５）に取り付けた副磁石（２６）は、回って回転磁石（２０）に接触し同極のため回転磁石（２０）は回転して遠ざかる。停止ビン（３０）で副磁石（２６）が回転しすぎるのを防ぐ。
【図面の簡単な説明】
【０００７】
【図１】立面断面全体図
【図２】平面断面全体図
【図３】ブロベラを磁石で回す
【図４】プロペラを回すモータ
【符号の説明】
【０００８】１  円筒  ２  ブロベラ  ３  翼  ４  シャフト  ５  駆動装置  ６  部屋
８  ハンドル  ９  扉  １０  ギヤ  １１  タイヤ  １２  風道  １３  風ド−ム
１４  ベアリング  １５  ビン  １６  棒  １７  案内板
２０  回転磁石  ２１  下シャフト  ２２  ベアリング  ２３  回し板  ２４  受け板  ２５  取り付け軸  ２６  副磁石  ２７  叩き板  ２８  回しギヤ  ２９  ギヤ  ３０  停止ビン
【図１】
2015000716.tif 000004
【図２】
2015000716.tif 000005
【図３】
2015000716.tif 000006
【図４】
2015000716.tif 000007
(57)【要約】【課題】    近視を治療する。【解決手段】両眼球の前にプリズムを設置する。その際、プリズムの薄い方を内側（鼻側）に、厚い方を外側（耳側）にする。その結果、見ている対象物からの反射光はプリズムで外側に曲げられ、視線の方向は内側に向く（輻輳が強められる）。これにより、実際に見ている物が視線を交差させている所よりも遠い所の物になるので、網膜上に明瞭な像を結ぶためには今までより水晶体厚を薄くしなければならなくなる。その結果、本発明を使用していると輻輳反射による水晶体厚の調整が薄くなる方向に変化する。【選択図】図３
2015000324.tif 000002
【特許請求の範囲】
【請求項１】
人間の両眼球の前にプリズムを設置する。その際、内側（鼻側）をプリズムの薄い方、外側（耳側）をプリズムの厚い方になるようにする。その結果、見ている対象物からの反射光の眼球への入射方向が変わり、見ている対象物よりも近くで視線が交差するようにした近視治療具。
【請求項２】
人間の両眼球の前にそれぞれ１枚あるいは数枚の鏡を設置する。その際に鏡の設置方法を工夫し、見ている対象物からの反射光の眼球への入射方向を変え、見ている対象物よりも近くで視線が交差するようにした近視治療具。
【発明の詳細な説明】
【技術分野】
【０００１】  本発明はプリズムを使用することで、見る対象物に向かう方向よりも強い輻輳（内寄せ）を視線に生じさせ、もって近視治療を行う近視治療具である。
【背景技術】
【０００２】  眼球の基本構造は図１のようであり、対象物からの反射光は眼球前部の水晶体を通る際に屈折し網膜上に明瞭な像を結ぶ。近くの対象物を見る時は水晶体を厚くし、遠くの対象物を見る時は水晶体を薄くする。近視眼とは、対象物の距離に対して必要以上に水晶体を厚くしてしまい網膜上に明瞭な像を結べなくなった状態である。
従来の近視治療具は対象物を遠ざけたり近づけたりを繰り返す、あるいは眼前にレンズを設置し、そのレンズの強度を変化させるなどして水晶体の厚さを変化させる眼球の機構の訓練あるいは柔軟性の回復を目指すものであった。
両眼の輻輳（内寄せ）と水晶体の厚さを変化させる機構は自動的に連動するようになっており、これを輻輳反射という。近視の原因を、水晶体を厚くする毛様体筋や両眼を輻輳（内寄せ）させる内転筋の過度の緊張に求め、その緊張を解くために両眼の輻輳を弱めようとした近視治療具が先行技術文献の特許文献１である。この近視治療具も本発明と同様に図５のごとく両眼の前にプリズムを設置するが、その向きは内側（鼻側）にプリズムの厚い方を、外側（耳側）にプリズムの薄い方が来るようにしている。このようにすると、対象物からの反射光は内側に曲げられ、その結果、視線が外側に開き輻輳（内寄せ）の度合いを弱める。
これは本発明とはまったく逆である。
【先行技術文献】
【０００３】
【特許文献１】特開２００４−４９８２０
【発明の概要】
【発明が解決しようとする課題】
【０００４】  上記の先行技術は、水晶体の厚さを変化させる毛様体筋や眼球を輻輳（内寄せ）させる内転筋などの過度の緊張が近視の原因であるとしている。そのため、その緊張を解くことが近視の治療になるとして、両眼球が対象物を見るために必要な輻輳（内寄せ）を少なくするようにプリズムを設置する向きを決めている。
また、その他の従来の近視治療具もすべて毛様体筋の過度の緊張が近視の原因であるとしており、その緊張を解くことを目的としている。
しかし近視の本当の成因は現在でもはっきりせず、近視の原因は毛様体筋や内転筋の過度の緊張である、とした考えに基づいた今までの近視治療具は著しい効果を上げていない。
【課題を解決するための手段】  本発明も両眼の前にプリズムを設置するが、その際にプリズムの厚みの薄い方を内側（鼻側）に、厚い方を外側（耳側）する。
【発明の効果】  両眼の輻輳（内寄せ）と水晶体厚の調節の間には輻輳反射と言われる反応関係が存在する。すなわち、両眼の輻輳（内寄せ）が強くなればなるほど近くの対象物を見ていることになるので、網膜上に明瞭な像を結ぼうとして水晶体厚を増す反応が生ずる。
本発明はこの輻輳反射の不具合に近視の原因を求め、これを正すことで近視の治療を行おうとするものである。輻輳反射の不具合とは、両眼が輻輳（内寄せ）して対象物を見ている時に、その対象物の距離の物を見るのに必要な水晶体の厚さよりもさらに厚くしてしまっているということである。そこでこの時、実際に見ている物が両眼の輻輳（内寄せ）で視線が交差している所よりも遠くの物を見ている状態にすれば、眼は今までよりも水晶体を薄くしなければ網膜上に明瞭な像を結ぶことができず、眼はそのようにする。
このことを、図３を用いて説明する。Ａの位置にある対象物からの反射光がプリズムを通ると光路が外側に曲げられて眼球に入る。すると眼球にはＢの方向からの光が入ったようになりＢの方向に視線を向けるように輻輳（内寄せ）し、その輻輳に応じた水晶体厚にしようとする。しかし実際にはＡにある対象物から来た反射光を眼は見ているのであり、眼は水晶体を薄くしなければ網膜上に明瞭な像は結べず、その結果、眼は水晶体厚を薄くする。この様な状態が続けば、輻輳反射による水晶体厚の変化は薄くなる方へと変化し、その結果近視が治癒してゆく。
前述ように、先行技術が輻輳（内寄せ）を弱めるようにしたうえで近くの物を見させるのに対し、本発明はまったく逆に輻輳（内寄せ）を強めたうえで遠くのものを見させようとする。
なお、本発明は近視の者が通常使用している近視矯正眼鏡をかけたままの状態で使用しても効果が出る。
【図面の簡単な説明】
【０００５】
【図１】眼球の断面図である。
【図２】両眼で対象物を見ている時の光路および視線の方向である。
【図３】本発明の請求項１を使用している時の光路および視線の方向である。
【図４】本発明の請求項２を使用している時の光路および視線の方向である。
【図５】従来（先行技術）の近視治療具を使用している時の光路および視線の方向である
【発明を実施するための形態】
【０００６】以下、本発明を実施するための形態について図３をもとに説明する。
（イ）両眼球の前面にプリズムを設置し、見る対象物からの反射光がこのプリズを通過して眼球に入るようにする。
（ロ）プリズムを設置する方向は、薄い方を内側（鼻側）に、厚い方を外側（耳側）にする。
また、本発明は以下の様な実施形態（図４）にすることもできる。
（イ）両眼球の前にそれぞれ１枚あるいは数枚の鏡を設置する。
（ロ）その際に見る対象物からの反射光の方向を眼前の鏡によって変え、両眼球の視線の交差点が見る対象物よりも近くになるようにする。
【符号の説明】
【０００７】  （１）角膜
（２）水晶体
（３）毛様体筋
（４）網膜
（５）対象物
（６）対象物からの反射光
（７）眼球
（８）視線
（９）プリズム
（１０）鏡
【図１】
2015000324.tif 000003
【図２】
2015000324.tif 000004
【図３】
2015000324.tif 000005
【図４】
2015000324.tif 000006
【図５】
2015000324.tif 000007
(57)【要約】      （修正有）【課題】指先の感覚が弱い人や、高齢者になると、ワイシャツのボタンやワンピース等、衣類の小さいボタンが止めにくく時間が掛かる。【解決手段】“ボタンはめ具”は指先がちょっと不自由な人や高齢者がワイシャツを着る時、小さいボタンの付いたワンピースなど衣類のボタンを止めようとする時、老人ホーム等の介護者がボタンを止めてやる作業をする人達にもとても便利な小道具を提供する。【選択図】図１
2015000325.tif 000002
【特許請求の範囲】
【請求項１】
本発明の”ボタンはめ具”の特許請求の範囲は、図面にしるしてある２面の形態を鎖で繋いだセットです。
【発明の詳細な説明】
【技術分野】
【０００１】    本発明の”ボタンはめ具”は、通常ワイシャツや、ワンピース等のボタンが小さくて、指ではめにくい時等に使用します。指先が不自由な方や、高齢者で指先の感覚が少し弱っている方等は普通、衣類のボタンが、はめにくいし、ボタンをはめるのに大変時間がかかり、いらいらする時がよくあります。そのような場合に、本発明の”ボタンはめ具”を使用すると、そのボタンが止めやすくて便利な道具です。
【背景技術】
【０００２】  一般にワイシャツやワンピース等に付いている、ボタンは小さくてとても止めにくいものです。特に高齢者や指がちょっと不自由な方等はそんな不便を感じている事と思います。そのような時に本発明の“ボタンはめ具”を使用すると簡単にそのボタンをはめる事が出来ます。この本発明の”ボタンはめ具”は、形が小さいので持ち運びに気を使いません。
【先行技術文献】
【特許文献】
【０００３】
【特許文献１】
【発明の概要】
【発明が解決しようとする課題】
【０００４】  本発明品の“ボタンはめ具”は指先がちょっと不自由な人や高齢者がワイシャツやワンピース等のボタンを止めようとする時、その衣類のボタンを止めるのは面倒で着るのは止めたくなる時、老人ホーム等の介護者がボタンを止めてやる作業をする人達にも本発明品の“ボタンはめ具”はボタンを止める作業が簡単でとても便利な小道具になることでしょう。
【課題を解決するための手段】
【０００５】    本発明品の“ボタンはめ具”は指先がちょっと不自由な人や高齢者がワイシャツを着る時、小さいボタンの付いたワンピースなど衣類のボタンを止めようとする時、老人ホーム等の介護者がボタンを止めてやる作業をする人達にもとても便利な小道具になると考えています。
【発明の効果】
【０００６】    本発明品の“ボタンはめ具”はワイシャツやワンピースの小さいボタンをはめる時等や、指先がちょっと不自由な人や高齢者が衣類の小さいボタンをはめる時、等に使用すると便利です。
【図面の簡単な説明】
【０００７】
【図１】  本発明“ボタンはめ具”の平面図です。
【発明を実施する為の形態】
【０００８】  本発明の”ボタンはめ具”の平面図です。
【符号の説明】
【０００９】▲１▼  本発明の“ボタンはめ具”の本体
▲２▼  ボタンはめ具板
▲３▼  補助板
▲４▼  繋ぎ鎖
【図１】
2015000325.tif 000003